(57)【特許請求の範囲】
【請求項１】
複数の吸収性物品を一方向に重ねて収納可能な筐体と、
前記筐体に形成され前記吸収性物品を一つずつ取り出し可能な開口と、
前記筐体の側面に形成され排卵周期に応じた身体の経時的変化の情報を含む身体生理情報表示部と、前記吸収性物品の総数の減少に伴って目視可能に移動する残数表示部と、を有し、前記身体生理情報表示部と前記残数表示部との相対的位置関係により、一の前記吸収性物品を取り出す際における身体生理情報を視覚的に把握可能な身体生理情報把握手段と、を備え、
前記身体生理情報表示部は、前記一方向に延びるように形成され前記吸収性物品の総数に対応すると共に前記排卵周期に対応する経時軸を含み、
前記残数表示部は、前記吸収性物品の総数の減少に伴い前記経時軸に沿って移動可能であり、
前記吸収性物品を取り出す際における前記身体生理情報は、前記経時軸における前記残数表示部の位置により把握される吸収性物品収納容器。
【請求項２】
前記残数表示部は、前記筐体の中で重ねられた前記吸収性物品のうち前記吸収性物品が移動する方向の反対側に位置する吸収性物品に接するように配置される目印シートである請求項１記載の吸収性物品収納容器。
【請求項３】
前記吸収性物品と前記目印シートとの色は異なり、前記吸収性物品収納容器の色に対して前記吸収性物品は目視困難な色を有し、前記目印シートは目視可能な色を有する請求項２記載の吸収性物品収納容器。
【請求項４】
前記身体生理情報表示部は、少なくとも月経終了から次の月経開始までの期間におけるおりものの量、色、においのいずれかの排卵後の経過情報を含む請求項１から３いずれか記載の吸収性物品収納容器。
【請求項５】
前記身体生理情報表示部は、前記経時軸に略直交する方向に少なくともホルモン分泌および基礎体温のいずれかまたは両方を表す線図を含む請求項１から４いずれか記載の吸収性物品収納容器。
【請求項６】
前記吸収性物品はパンティライナーであり、前記パンティライナーのそれぞれは、パンティライナー本体と、前記パンティライナー本体を個別に包装する包装シートと、前記パンティライナー本体に貼付される離型紙と、を有し、前記包装シートおよび前記離型紙のいずれかまたは両方は、前記身体生理情報表示部に関連づけられた情報表示部を備える請求項１から５いずれか記載の吸収性物品収納容器。
【発明の詳細な説明】
【技術分野】
【０００１】
本発明は、吸収性物品の収納容器に関し、特にパンティライナーの収納容器に関する。
【背景技術】
【０００２】
従来より、吸収性物品は、女性の排卵周期の変化に応じて排出される分泌物や経液を吸収し、身体や下着を清潔に保つ目的で使用されている。吸収性物品の中でもパンティライナーは、月経期間以外の期間に女性の身体から排出されるおりものを吸収するために用いられている。パンティライナーは、通常、フィルムで個別包装された後、所定の個数をまとめて袋に入れられた形態で、商品として販売される。購入されたパンティライナーは、家庭内では袋に入れた状態でトイレの棚などに保管し、袋を開封してそこから毎日取出して使用される。
【０００３】
吸収性物品は、人目に触れると恥ずかしいという心理から、トイレや洗面所の棚の奥や引き出しの中に保管されることが多い。これに関し、吸収性物品が人目につく場所でも収納できる、不透明な壁掛け式収納容器が開示されている（例えば、特許文献１）。
【０００４】
しかしながら、特許文献１に記載の収納容器は、収納した中身が外から見えないという点の他は特に工夫がなされていない。このため、吸収性物品を購入時の袋から当該容器へわざわざ詰め替えようという動機が生じづらく、収納容器は普及していなかった。また、月経期間以外の期間に使用されるパンティライナーを、毎日棚や引き出しから取り出すことは面倒であり、収納容器が普及しないことに伴って、パンティライナー自体を使用する習慣も十分に普及していなかった。そこで、人目を気にせずに中身を取り出しやすい位置に設置できる収納容器が求められていた。
【０００５】
一方、女性は排卵周期によって体や心の変化が生じる。近年、排卵から月経開始までの時期に現れる身体的・精神的不快な症状は、総じて「月経前症候群（ＰＭＳ）」と称されている。そして、多くの女性が月経前における不快な症状（ＰＭＳ）を経験することが明らかになっている。しかしながら、女性自身が月経前における自己の周期的な変化を知らないため、身体的・精神的不快な症状に適切に対処できない場合がある。また、生理不順や妊娠を計画する女性にとっても、自己の周期を知ることは有用である。このため、女性が自分自身の排卵周期による心理、体調の変化のリズムを知り、日常生活に役立てるという必要が生じている。
【０００６】
そこで、中身が見えず取り出しやすい位置に設置でき、かつ、吸収性物品を使用することを契機として、排出された体液や分泌物の状態の変化を知り、女性が自己の体調管理をできるような吸収性物品の収納容器が求められていた。
【特許文献１】実開昭６２−１２３１９９号公報
【発明の開示】
【発明が解決しようとする課題】
【０００７】
本発明は、取り出しが容易な場所に設置でき、身体生理に関する情報を把握可能な吸収性物品の収納容器を提供することを目的とする。
【課題を解決するための手段】
【０００８】
（１）  複数の吸収性物品を一方向に重ねて収納可能な筐体と、前記筐体に形成され前記吸収性物品を一つずつ取り出し可能な開口と、前記筐体の側面に形成され排卵周期に応じた身体の経時的変化の情報を含む身体生理情報表示部と、前記吸収性物品の総数の減少に伴って目視可能に移動する残数表示部と、を有し、前記身体生理情報表示部と前記残数表示部との相対的位置関係により、一の前記吸収性物品を取り出す際における身体生理情報を視覚的に把握可能な身体生理情報把握手段と、を備える吸収性物品収納容器。
【０００９】
（２）  前記身体生理情報把握手段において、前記身体生理情報表示部は、前記一方向に延びるように形成され前記吸収性物品の総数に対応すると共に前記排卵周期に対応する経時軸を含み、前記残数表示部は、前記吸収性物品の総数の減少に伴い前記経時軸に沿って移動可能であり、前記吸収性物品を取り出す際における前記身体生理情報は、前記経時軸における前記残数表示部の位置により把握される（１）に記載の吸収性物品収納容器。
【００１０】
（３）  前記残数表示部は、前記筐体の中で重ねられた前記吸収性物品のうち前記吸収性物品が移動する方向の反対側に位置する吸収性物品に接するように配置される目印シートである（１）または（２）記載の吸収性物品収納容器。
【００１１】
（４）  前記吸収性物品と前記目印シートとの色は異なり、前記吸収性物品収納容器の色に対して前記吸収性物品は目視困難な色を有し、前記目印シートは目視可能な色を有する（３）記載の吸収性物品収納容器。
【００１２】
（５）  前記身体生理情報表示部は、少なくとも月経終了から次の月経開始までの期間におけるおりものの量、色、においのいずれかの排卵後の経過情報を含む（１）から（４）いずれか記載の収納容器。
【００１３】
（６）  前記身体生理情報表示部は、前記経時軸に略直交する方向に少なくともホルモン分泌および基礎体温のいずれかまたは両方を表す線図と含む（２）に記載の吸収性物品収納容器。
【００１４】
前記吸収性物品はパンティライナーであり、前記パンティライナーのそれぞれは、パンティライナー本体と、前記パンティライナー本体を個別に包装する包装シートと、前記パンティライナー本体に貼付される離型紙と、を有し、前記包装シートおよび前記離型紙のいずれかまたは両方は、前記身体生理情報表示部に関連づけられた情報表示部を備える（１）から（６）いずれか記載の収納容器。
【発明の効果】
【００１５】
本発明によれば、取り出しが容易な場所に設置でき、身体生理に関する情報を把握可能な吸収性物品の収納容器を提供することができる。
【発明を実施するための最良の形態】
【００１６】
以下、本発明の実施形態について図面を参照しながら説明する。なお、本発明の実施形態は、下記の実施形態に何ら限定されることなく、本発明の技術的範囲は、これに限定されるものではない。
【００１７】
本明細書において「吸収性物品」とは、女性の排卵周期の変化に応じて排出される分泌物や経血を吸収するための吸収性物品全般を指し、月経期間以外の期間に使用され、おりものを吸収するために使用されるパンティライナーを含む。
【００１８】
また、「身体生理」とは、女性の排卵周期に応じて変化する女性の身体の状態を指し、具体的には、卵胞ホルモンや黄体ホルモンの分泌、基礎体温や排卵の有無、おりものの状態などを指す。
【００１９】
図１は、第１実施形態に係る収納容器の斜視図である。図２は図１に示す収納容器の側面図である。図３は、本発明に係るパンティライナーが前記収納容器に収容される前の状態において、包装袋に収容された包装体の斜視図である。図４は、本発明に係るパンティライナーが型枠に並べられた状態を示す斜視図である。図５は本発明の他の形態による収納容器の斜視図である。図６は本発明のさらに他の形態による収納容器の斜視図である。図７は、本発明に係る身体生理情報表示部の内容の一例である。
【００２０】
１．全体構成
図１から図４により本発明の実施形態におけるパンティライナー１０の収納容器について説明する。図１に示すように、収納容器１は、複数のパンティライナー１０を一方向に重ねて収容可能な長さを有する筐体４を有する。筐体４は略直方体である。筐体４の一方には、複数のパンティライナー１０を収容するための収納口３が配置される。この収納口３が配置される一方と反対側の他方において、筐体４の側面４ａには、パンティライナー１０を一枚ずつ取り出すことができる開口２が配置される。また、収納容器１は、身体生理情報把握手段２２を備える。
【００２１】
身体生理情報把握手段２２は、筐体４の側面にパンティライナー１０を重ねる一方向に延びるように形成され、排卵周期に応じた身体の経時的変化を含む身体生理情報表示部２０を備える。身体生理情報把握手段２２は、筐体４の中のパンティライナー１０が取り出され、総数が減少することに伴って、目視可能に移動する残数表示部２１を備える。パンティライナー１０の使用個数の変化による該残数表示部２１の位置と、身体生理情報表示部２０における残数表示部２１の任意の位置との相対的位置関係により、パンティライナー１０を取り出す際における使用者の身体生理に関する情報が把握される。
【００２２】
２．筐体
筐体４は、パンティライナー１０を一方向に重ねて収容可能な長さを有する略直方体である。略直方体の長手方向における一方には、パンティライナー１０を収納する収納口３が配置される。収納口３に対向する長手方向の他方側において、該直方体の側面４ａに、パンティライナーを一つずつ取り出し可能な開口２が配置される。開口２は、パンティライナーの厚さ方向の長さよりも長い一辺と、パンティライナーの側縁の長さよりも長い一辺とを有する。
【００２３】
筐体４は、パンティライナー１０を少なくとも２１個収納する。収納容器１に収納するパンティライナー１０（パンティライナー本体１１が包装シート１２に個包装された状態）の寸法は、厚さＴが３ｍｍ以上５ｍｍ以下、長手方向の長さが７０ｍｍ以上９０ｍｍ以下、短手方向の長さが５０ｍｍ以上６０ｍｍ以下である。このことから筐体４の長手方向における内寸は、少なくとも６３ｍｍ以上、短手方向の長さは少なくとも５０ｍｍ以上であることが好ましい。開口２は、上述の寸法のパンティライナー１０が無理なく取り出せる寸法に適合される。筐体４は、ポリスチレン樹脂製であるが、素材は特に限定されない。
【００２４】
筐体４は、収納容器１の設置面に対して、収納口３を上部に、開口２を下方に配置される。このような配置により、開口から矢印Ｆの方向へパンティライナー１０を一つ取りだすときに、重力によって筐体４に収納されているパンティライナー１０は、下方へ移動する。
【００２５】
収納容器１は、収納口３よりも大きく、収納口３を塞ぐことのできる寸法に形成された蓋５を含む。筐体４の収納口３は、蓋５によって覆われる。蓋５は従来公知の形状であってよく、特に限定されない。筐体４と別体でもよいし、ヒンジで連結された開閉式の蓋でもよい。また、筐体４から連続して、収納容器を設置する設置面側へ延びる脚部６と、脚部６と連続して筐体４を支える面を有する台部７が形成される。脚部６がある場合、筐体４がトイレなどの床から脚部６の長さ分離されるため、衛生的である。
【００２６】
３．身体生理情報把握手段
３．１．  身体生理情報表示部
身体生理情報把握手段２２は、身体生理情報表示部２０と残数表示部２１とで構成される。身体生理情報表示部２０は、筐体４の側面４ａの長手方向に沿って形成される。図１では、開口２の形成される正面側４ａと、正面４ａに直交する側面４ｂ側に形成されている。身体生理情報表示部２０が形成される側面の位置や数は適宜変更されてよい。
【００２７】
身体生理情報表示部２０は、以下に記載する情報を内容とする。該情報は、フィルムに印刷され、粘着材により筐体４の側面（例えば４ｂ）に貼付される。身体生理情報表示部２０は、筐体４に直接印刷されてもよく、紙などに記載したものを、筐体４の側面４ｂ、４ｃに形成した枠に挿入するなど、従来公知の手段によって形成されてよい。
【００２８】
身体生理情報表示部２０は、排卵周期に応じた身体の経時的変化を含む。身体生理情報表示部２０は、少なくとも月経終了から次の月経開始までの期間におけるおりものの量、色、においのいずれかの、排卵後の身体の経過情報を含む。
【００２９】
図７に、身体生理情報表示部２０の内容の一例を示す。身体生理情報表示部２０は、筐体４の長手方向（パンティライナー１０が重ねられる方向）と平行して経時を表示する経時軸と、この経時軸に略直交する筐体４の短手方向に少なくとも卵胞ホルモンや黄体ホルモンなどの女性ホルモンの分泌量や、基礎体温の変化に関する情報を含む。
【００３０】
経時軸は、パンティライナー１０の総数に対応すると共に排卵周期に対応する。具体的には、パンティライナー１０のそれぞれの厚さＴが、パンティライナーを使用する期間に対応する。例えば、パンティライナーの一枚の厚さＴが、パンティライナー１０を使用する一日に対応する。そして、筐体４に収納するパンティライナー１０の総数の厚さが、パンティライナーの使用開始（月経終了期）から月経開始までの期間に対応する。経時軸は、パンティライナー１０の総数の厚さに対応する長さを有する。該長さを有することにより、経時軸は、排卵周期に対応する。なお、パンティライナー１０の一枚の厚さＴは、一日に対応する場合に限られない。例えば、パンティライナー１０が一日に２枚使用される場合は一枚で半日に対応し、同様に、適宜変更できる。
【００３１】
全体として、身体生理情報表示部２０は、女性ホルモンや基礎体温の情報が、経時軸に沿って変化する状態を表す。なお、基礎体温とは、一日のうちで最も低い体温を意味し、朝、目が覚めた時に起き上がる前に測定する体温のことをいう。
【００３２】
身体生理情報表示部２０は、上記の身体生理の経時的な変化に関する身体的、心理的状態や、これらの状態に関する助言を示す文字情報を含む。
【００３３】
３．２  残数表示部
身体生理情報把握手段２２は、身体生理情報表示部２０と残数表示部２１とで構成される。収納容器１に収納されたパンティライナー１０の一つが、開口２により取り出されたときに、残数表示部２１は、目視可能に移動する。
【００３４】
パンティライナー１０は、空の収納容器１に、使用開始時、少なくとも２１個収納される。この数は、一ヶ月のうち女性の月経が約１週間（７日間）続き、残りの３週間（２１日間）パンティライナー１０を使用することを想定した場合の最少の数である。２１という数は、収納容器１を説明するためのモデルの数である。一ヶ月は３０日または３１日あるため、月経が７日続いたと仮定すると、パンティライナー１０は２１個に足して２日または３日分の余分の数が必要となる。また、月経期間は、個人差やその月の体調などによって増減がある。使用者は、月経が続いた日数などを考慮して、適宜パンティライナー１０を補充したり取り除いて調整できる。
【００３５】
残数表示部は、筐体４内部のパンティライナー１０を含まない空間と、重ねられたパンティライナー１０の最も上方に位置するパンティライナーとの間に存在する。月経の終了時からパンティライナーを使用し始めるため、筐体４内部のパンティライナーを含まない空間は、経過した日数を示す。また、重ねられたパンティライナー１０の総数は、月経までの日数を表す。残数表示部２１は、パンティライナー１０の移動を視覚的に把握することを可能にできれば、表示手段は特に限定されない。
【００３６】
図２は、図１に示す収納容器１の側面図である。収納容器１の側面４ａ、４ｂには、身体生理情報表示部２０において経時軸に直交して線ＡからＤが表示されている。線Ａは、使用開始時にパンティライナー１０が収容されたときの残数表示部の位置を示す。線Ｂは、パンティライナー１０を７個使用後（月経終了後第一週）、線Ｃは１４個使用後（月経終了後第二週）、線Ｄは２１個使用後（月経終了後第三週）の月経開始前の位置を示す。矢印Ｕは、パンティライナーの総数の減少に伴う残数表示部２１の移動する方向を示す。図２の位置ＡからＤは、図７のＡからＤに対応する。なお、線ＡからＤと共にそれぞれ「第一週」「第二週」「第三週」「第四週」と表示してもよい。
【００３７】
残数表示部２１は、パンティライナー１０の総数が減少すると、重ねられたパンティライナー１０の厚さを合計した長さが短くなるにしたがって、経時軸における所定の点に対応して移動する。所定の点とは、パンティライナー１０の一つを開口２から取り出す際の点を示す。
【００３８】
以上のように、身体生理情報把握手段２２は、身体生理情報表示部２０と残数表示部２１から構成される。具体的には、身体生理情報表示部２０において経時軸に沿って表される身体生理情報の変化と、残数表示部２１の位置との相対的位置関係によって構成される。身体生理情報把握手段２２によれば、身体生理情報表示部２０における経時軸に沿って、残数表示部２１が移動することによって、パンティライナー１０の一つを開口２から取り出す際の、ホルモンの分布量や基礎体温の状況を把握することができる。
【００３９】
４．目印シート
上述の残数表示部２１の実施形態として、目印シート２１ａが用いられる。目印シート２１ａは、筐体４の中で重ねられたパンティライナー１０のうち、パンティライナー１０が移動する方向と反対側に位置する吸収性物品に接するように配置される。すなわち、目印シート２１ａは、収納口３に最も近い位置に配置されているパンティライナー１０に接するように配置される。目印シート２１ａは、筐体４の中で重ねられたパンティライナー１０のうち最も上方に位置するパンティライナー１０の上に載せられる。
【００４０】
目印シート２１ａは、筐体４の内寸に適合する四角形の板状の物品である。目印シート２１ａの厚さは１ｍｍ以上２ｍｍ以下である。目印シート２１ａは、繰り返しの使用に耐える強度と、パンティライナー１０を下方へ移動させるだけの重さを備えることが好ましい。例示として、プラスチックなどの樹脂製であることが挙げられるが、素材は特に限定されない。
【００４１】
筐体４は、半透明で乳白色である。色はこれに限定されないが、筐体４は、内部にパンティライナー１０と目印シート２１ａを収納した状態で、目印シート２１ａが目視可能な透明度を有する。目印シート２１ａは、ピンク色である。色はこれに限定されないが、パンティライナー１０の色とは異なる色、特に色相が異なる色を有する。これにより、目印シート２１ａとパンティライナー１０は異なる物品であることが、視覚的に把握できる。
【００４２】
パンティライナー１０は、白いパンティライナー本体１１を白い不織布の包装シート１２で包装したものである。このため、乳白色の筐体内部にパンティライナー１０が収納されても、内部に収納されているものがパンティライナー１０であるとは外部から目視できない。
【００４３】
筐体４の色と、パンティライナー１０の色とは、白系に限定されないが、実質的に同じか同系色が好ましい。あるいは、筐体４の色よりもパンティライナー１０の色が薄いことが好ましい。筐体４の色の明度がパンティライナー１０のそれよりも低い場合、パンティライナー１０は筐体４に対して相対的に見えづらくなる。パンティライナー１０を筐体４の外部から見えづらくするためには、筐体４の明度を低くすることに限らず、筐体４の色と、パンティライナー１０の色の彩度が同程度になるよう調整してもよい。このような構成により、収納容器１の内部にあるものがパンティライナー１０であることが判別しづらくなり、使用者は収納容器１を隠す必要がない。このため、使用者は、パンティライナー１０を取り出しやすい位置に設置することができる。
【００４４】
上述の通り、筐体４は乳白色であり、目印シート２１ａはピンク色である。筐体４の色と、目印シート２１ａの色は異なる。筐体４の色に対して、目印シート２１ａの色は濃いことが好ましい。目印シート２１ａの色の明度が筐体４のそれよりも低い場合、筐体４に対して目印シート２１ａは相対的に目立つ。目印シート２１ａを筐体４に対して見えやすくするためには、目印シート２１ａの明度を低くすることに限らず、目印シート２１ａが目立つように彩度を調整してもよい。このような構成により、収納容器１の外部からは目印シート２１ａのみが視認できる。使用者は、パンティライナー１０を取り出しやすい位置に収納容器１を設置して、自己の身体生理情報を得ることができる。
【００４５】
５．包装体
５．１．  包装体
図３は、本発明に係るパンティライナー１０を収納容器１に収納する前の包装体１００を示す。包装体１００は、パンティライナー１０を少なくとも２１個ずつポリエチレン製の包装袋１１０に収納したものである。パンティライナー１０は、パンティライナー１０の三辺に沿うコの字形の型枠１２０に並べられる。型枠１２０に並べられた状態で、パンティライナー１０は包装袋１１０に入れられる。
【００４６】
５．２  型枠
図４に示すように、型枠１２０の一面１２１は、長手方向に少なくともパンティライナー１０の厚さＴを少なくとも２１倍した長さを有する。短手方向の長さは、パンティライナーの一辺に対応する。具体的には、型枠１２０の一面１２１は、少なくとも６３ｍｍの長手方向の長さと、５０ｍｍ以上の短手方向の長さを有する。この一面１２１と、この一面に対向する面１２２は型枠１２０の側面であり、二つの面に連続する面が底部１２３である。型枠１２０は、軽量で成型しやすいことからダンボール紙製である。型枠１２０は、従来公知の素材であれば特に限定されない。
【００４７】
パンティライナー１０は、型枠１２０に並べられた状態で、型枠１２０と共に筐体４に収納されてよい。この場合、型枠１２０のコの字型の側面で囲まれていない空間側が、筐体４の身体生理情報表示部２０が付された側面に配置されるように収納される。
【００４８】
型枠１２０の側面１２１、１２２の、パンティライナー１０に接しない側の外面には、身体生理情報表示部２０に関連付けられた情報表示部２３が付される。これにより、包装袋１１０からパンティライナー１０を型枠１２０と共に取り出す使用者は、２１個に並べられたパンティライナーと排卵周期との関わりを想起することができる。
【００４９】
６．パンティライナー
パンティライナー１０は、パンティライナー本体１１と、パンティライナー本体１１に貼付する離型紙１３、と、パンティライナー本体１１を包装する包装シート１２を有する。パンティライナー本体１１は、液透水性の表面シートと、液不透水性の裏面シートと、表面シートと裏面シートに挟まれる吸収体を層状に重ねて形成される（図示せず）。パンティライナー本体１１の裏面シートには、下着に貼付するための粘着部材が塗布されるため、粘着部材を使用時まで覆うように離型紙１３が貼付されている。
【００５０】
パンティライナー本体１１は、離型紙１３が貼付された状態で三つ折りにされ、包装シート１２で個包装される。この離型紙１３または包装シート１２のいずれかまたは両方には、身体生理情報表示部２０に関連づけられた情報表示部２３が付される。情報表示部２３は、使用者が直接手に取って間近に読むことができるため、おりものの量、色、においなどの具体的な性状に関する文字情報や、周期ごとの使用者への身体的・心理的助言を含む文字情報である。
【００５１】
上述の通り、パンティライナー１０は少なくとも２１個ずつ包装袋１１０に収納される。そこで、図７に示す生理後の好調期Ａ、デリケートな時期Ｂ、生理前の不調期Ｃによって、パンティライナー１０の７個ごとに異なる情報が付される。これらの情報を付したパンティライナー１０は、Ａ、Ｂ、Ｃと排卵周期によって変化する周期ごとに並べて収納容器１に収納される。このような構成により、使用者が開口２から毎日一つずつパンティライナー１０を取り出して使用すると、パンティライナー１０を取り出す際の使用者の身体に関する情報が得られる。
【００５２】
７．作用・効果
収納容器１は、パンティライナーのような吸収性物品であっても、内部が見えづらいため、手の届きやすい位置に配置できる。また、収納容器１の開口２からパンティライナー１０を取り出すときに、取り出す際の使用者の排卵周期における身体生理情報が把握される。収納容器１を使用することにより、使用者は、自己の身体の内部で起きている変化を知り、体調不良や心理的不安などの月経前症候群に対して、対処することが可能である。
【００５３】
収納容器１が取り出しやすい位置に設置されるため、使用者は、パンティライナー１０を使用することが面倒でなくなる。毎日一つパンティライナー１０を取り出すことにより身体生理情報を把握することができるため、パンティライナー１０を毎日使用する習慣のなかった人は、パンティライナー１０を毎日使用する習慣がつく。
【００５４】
さらに、生理不順で月経が４週間ごとに来ない女性は、収納容器１を使用することで、正常な排卵周期のペースメーカーとすることができ、治療の一助とすることができる。
【００５５】
また、妊娠を計画している女性にとっても、収納容器１からパンティライナー１０毎日取り出して使用することで、面倒な基礎体温を測らずともおおよその自己の排卵周期を知ることができる。
【００５６】
８．他の形態
図５および６に、他の実施形態を示す。図５は、パンティライナー１０を少なくとも２１個収納可能な筐体が２列並んだ収納容器１Ａである。他の点は収納容器１と同じである。このような形態により、一日にパンティライナー１０を二枚使用する場合でも、パンティライナーを取り出すごとに身体生理情報を把握することができる。また、一枚ずつ使用する使用者であっても、詰め替えが面倒でなくなる。筐体４が一つの場合と比べ、一度で二倍パンティライナー１０を詰め替えることができるからである。
【００５７】
図６は、図１に示す収納容器１の筐体４を設置面に対して長手方向が底面となるように配置した収納容器１Ｂである。収納容器１Ｂは、重力によって筐体４内部のパンティライナー１０が移動しないため、蓋にパンティライナー１０を移動させる移動手段８が設けられている。収納容器１Ｂにおいて、移動手段８はコイルばねである。しかしながら、移動手段はこれに限定されない。図６に記載の実施形態によれば、設置面積が図１の収納容器１と比べて大きいため、安定した設置が可能である。
【００５８】
残数表示部の他の例として、収納容器１、１Ａ、１Ｂの筐体４の少なくとも一部は、筐体４内部のパンティライナー１０が目視可能な透明度を有してよい。筐体４の透明な部分は、筐体４内部のパンティライナーの減少の様子が目視できるよう、長手方向に延びていることが好ましい。例えば、５ｍｍ程度の細い幅をもった透明な部分が、筐体４の長手方向に延びるように形成されてよい。このような構成により、目印シートを用いずに残数が表示できる。
【００５９】
筐体４の全体が透明であると、収納容器１の中身がパンティライナーであることが外部から見えてしまうため、好ましくない。筐体４の少なくとも一部が透明であることにより、筐体４内部のパンティライナーの存在しない空間と、重ねられたパンティライナー１０の間に存在する残数表示部２１を視認できる。筐体４の素材は特に限定されないが、中身を視認しづらいように透明度を変更する場合、樹脂製であることが好ましい。
【００６０】
収納容器１、１Ａ、１Ｂの開口２は、取り出しやすいように工夫が施されてよい。例えば、筐体４の側面４ａに形成される開口２から連続して、他の側面４ｂ、４ｃ側へ続く切りかけが形成されてもよい。
【図面の簡単な説明】
【００６１】
【図１】第１実施形態に係る収納容器の斜視図である。
【図２】図１に示す収納容器の側面図である。
【図３】第１実施形態に係るパンティライナーが前記収納容器に収容される前の状態において、包装袋に収容された包装体の斜視図である。
【図４】第１実施形態に係るパンティライナーが型枠に並べられた状態を示す斜視図である。
【図５】他の形態による収納容器の斜視図である。
【図６】さらに他の形態による収納容器の斜視図である。
【図７】本発明に係る身体生理情報表示部の内容の一例である。
【符号の説明】
【００６２】
１      収納容器
２      開口
３      収納口
４      筐体
４ａ、４ｂ、４ｃ    筐体の側面
５      蓋
６      脚部
７      台部
８      移動手段
１０    パンティライナー
１１    パンティライナー本体
１２    包装シート
１３    離型紙
２０    身体生理情報表示部
２１    残数表示部
２１ａ  目印シート
２２    身体生理情報把握手段
２３    身体生理情報表示部に関連づけられた情報表示部
１００  包装体
１１０  包装袋
１２０  型枠
【図１】
0005204455.tif 000002
【図２】
0005204455.tif 000003
【図３】
0005204455.tif 000004
【図４】
0005204455.tif 000005
【図５】
0005204455.tif 000006
【図６】
0005204455.tif 000007
【図７】
0005204455.tif 000008